(57)【要約】      （修正有）【課題】多彩な色が施された唯一無二のバッグなどの着装具を提供する。【解決手段】バッグ１００は、外観となる生地に複数の色味４１を試した生地を用いている。生地は、着物または帯として仕立てられる生地を染色するときに複数の色味を試した生地である。バッグは、バッグ本体と、持ち手とを有し、生地は、バッグ本体および持ち手の少なくとも何れか一方に用いられ、複数の色味は、それぞれ異なる形状であることが好ましい。【選択図】図１
0003210513.tif 000002
【実用新案登録請求の範囲】
【請求項１】
外観となる生地に複数の色味を試した生地を用いたことを特徴とする着装具。
【請求項２】
前記生地は、
着物または帯として仕立てられる生地を染色するときに複数の色味を試した生地であることを特徴とする請求項１に記載の着装具。
【請求項３】
前記着装具は、バッグであって、
前記バッグは、バッグ本体と、持ち手とを有し、
前記生地は、
前記バッグ本体および前記持ち手の少なくとも何れか一方に用いられることを特徴とする請求項１または２に記載の着装具。
【請求項４】
前記複数の色味は、それぞれ異なる形状であることを特徴とする請求項１ないし３の何れか１項に記載の着装具。
【考案の詳細な説明】
【技術分野】
【０００１】
本考案は、身に着けることが可能な着装具に関するものである。
【背景技術】
【０００２】
着装具としての着物本体、帯、草履、風呂敷、扇子またはバッグなどの生地には様々なものが用いられている。
例えば、特許文献１には、表面材と前記表面材に接着された内張下地材とからなる外郭構成部材で形成され、表面材を桜皮としたバッグが開示されている。このように、バッグの表面材に桜皮を用いることで、日本伝統の素朴な色彩と光沢の美感を期待することができる。
【先行技術文献】
【特許文献】
【０００３】
【特許文献１】特開２０１２−１６５９１７号公報
【考案の概要】
【考案が解決しようとする課題】
【０００４】
一方で、使用者の価値観の多様化により、多彩な色が施され、他人が所有していないような唯一無二の着装具についての需要もある。
本考案は、このような点に鑑みてなされたものであり、多彩な色が施された唯一無二の着装具を提供することを目的とする。
【課題を解決するための手段】
【０００５】
本考案の着装具は、外観となる生地に複数の色味を試した生地を用いたことを特徴とする。
また、本考案の好ましい着装具は、前記生地が、着物または帯として仕立てられる生地を染色するときに複数の色味を試した生地であることを特徴とする。
また、本考案の好ましい着装具は、バッグであって、バッグ本体と、持ち手とを有し、前記生地は、前記バッグ本体および前記持ち手の少なくとも何れか一方に用いられることを特徴とする。
また、本考案の好ましい着装具は、前記複数の色味は、それぞれ異なる形状であることを特徴とする。
【考案の効果】
【０００６】
本考案によれば、多彩な色が施された唯一無二の着装具を提供することができる。
【図面の簡単な説明】
【０００７】
【図１】第１の実施形態のバッグ全体の構成を示す図である。
【図２】第１の実施形態のバッグを分解した状態の構成を示す図である。
【図３】複数の色味を試している状態を示す図である。
【図４】第２の実施形態のバッグ全体の構成を示す図である。
【考案を実施するための形態】
【０００８】
本考案に係る実施形態の着装具について図面を参照して説明する。
着装具とは、身に着けることが可能なものであって、例えば、着物本体、帯、草履、風呂敷、扇子またはバッグなどが含まれる。
以下では、着装具としてバッグ、具体的には手持ちバッグについて説明する。
＜第１の実施形態＞
図１は、本実施形態のバッグ１００全体の構成を示す図である。図２は、本実施形態のバッグ１００を分解した状態の構成を示す図である。
バッグ１００は、バッグ本体１０と、持ち手部２０とを有している。
【０００９】
バッグ本体１０は袋状であって、内部に被収容物の収容空間を有する。
図２に示すように、本実施形態のバッグ本体１０は、複数の生地から構成される。具体的に、バッグ本体１０は、表側生地１１（１１ａ，１１ｂ）、裏側生地１２（１２ａ，１２ｂ）、および、底板１３を備える。
表側生地１１は、バッグ本体１０の外観となる生地である。本実施形態の表側生地１１は、第１表側生地１１ａおよび第２表側生地１１ｂから構成され、第１表側生地１１ａの端と第２表側生地１１ｂの端とをそれぞれ縫い合わすことで表袋（または表袋の一部）が形成される。なお、表側生地１１は、１枚のみから構成されていてもよく、３枚以上から構成されていてもよい。
【００１０】
本実施形態の表側生地１１は、後述するように複数の色味４１を試した生地４０が用いられている。このような複数の色味４１を試した生地４０を色見本という。ここで、色味とは、例えば、色の濃淡やずれの具合、色合い、色加減をいう。また、色味を試すとは、意図している色味であるか否かを確認するために染色（着色）することをいう。ここで、複数の色味を試した生地４０とは、着物または帯として仕立てられる生地を染色するときに複数の色味を試した生地であって、例えば絹が用いられる。なお、複数の色味を試した生地４０についての詳細は、図３を参照して後述する。
【００１１】
裏側生地１２は、表側生地１１に重ね合わされる生地であり、外観とならない生地である。本実施形態の裏側生地１２は、第１裏側生地１２ａおよび第２裏側生地１２ｂから構成され、第１裏側生地１２ａの端と第２裏側生地１２ｂの端とをそれぞれ縫い合わすことで裏袋（または裏袋の一部）が形成される。
本実施形態の裏側生地１２は、表側生地１１と異なる生地が用いられる。例えば、裏側生地１２には、綿、ウール、麻、化学繊維などを原料糸とする生地が用いられている。
なお、裏側生地１２は、１枚のみから構成してもよく、３枚以上から構成してもよく、更にバッグの種類によっては省略して構成してもよい。
【００１２】
底板１３は、バッグ本体１０の外観となる下端に配置される板である。本実施形態の底板１３は、表側生地１１と下端で縫い合わすことで、バッグ本体１０のフォルムが整えられる。底板１３は、例えば、本革、合皮、プラスチック製のプレートなどが用いられる。
なお、底板１３は、外観とならないように収容空間内の下端に配置してもよく、更にバッグの種類によっては省略してもよい。
【００１３】
持ち手部２０は、使用者が持つために紐状あるいは帯状に形成される。本実施形態の持ち手部２０は、第１持ち手２０ａおよび第２持ち手２０ｂから構成される。第１持ち手２０ａは、長手方向における両端部が、第１表側生地１１ａや第１裏側生地１２ａの上端に間隔を空けて縫い合わされる。第２持ち手２０ｂは、長手方向における両端部が、第２表側生地１１ｂや第２裏側生地１２ｂの上端に間隔を空けて縫い合わされる。
持ち手部２０は、外観となる生地であって、表側生地１１と同様に複数の色味４１を試した生地４０であって、本実施形態では絹が用いられる。なお、持ち手部２０は、複数の色味を試した生地４０以外の生地であってもよく、バッグの種類によっては省略して構成してもよい。
【００１４】
次に、複数の色味を試した生地４０について説明する。本実施形態では、職人である染匠が、白生地に手描き友禅によって染色するときに色味を試す場合を例にして説明する。
手描き友禅とは、染色技法のひとつであって、着物や帯などを仕立てるための白生地に糸目糊を使って模様の輪郭線を描いた後に色挿し（彩色）することで、隣り合う色同士が混ざらないように防染でき、絵画のような華やかな絵柄を染色することができる染色技法である。
【００１５】
ここで、手描き友禅による染色の一般的な工程について簡単に説明する。まず、図案に基づいて白生地に下絵の模様を描く。白生地として例えば絹が用いられる。次に、糸目糊を使って模様の輪郭線を描く。次に、染料が染まり易くするために生地全体に地入れを行う。地入れには豆汁などが用いられる。次に、輪郭線に囲まれた模様に筆や刷毛で染料を染色する色挿しを行う。このとき、染料には植物染料（藍、紅花等）、動物染料、化学染料などが用いられる。なお、染料は例えば数色程度の原色を混ぜ合わせることにより、染匠が所望する色を一色ずつ調合して生成する。
【００１６】
次に、必要に応じて、８０度以上の蒸気を当ててから蒸しを行い、生地に染料を定着させる。次に、模様全体を防染するために糊を置き、糊ぶせを行う。このとき、模様の輪郭線を描くときに使った糸目糊と濃度の異なる同じ材質の糊が用いられる。次に、生地の地の部分を染色する、引き染めを行う。引き染めに使用する染料は、色挿しの工程と同様に、染匠が所望する色を調合して生成する。次に、８０度以上の蒸気を当てて引き染めした生地に染料を定着させる蒸しを行う。次に、生地に付いた余分な染料や糊を水で洗い流す水元を行う。次に、生地に蒸気を当てながら、真っ直ぐにのばす湯のしを行う。次に、必要に応じて、金彩、上絵仕上げ、刺繍などを施すことで、着物や帯などを仕立てるための生地となる。
【００１７】
図３は、複数の色味を試している状態を示す図である。
図３には、着物などを仕立てるための生地であって色挿しの対象とする生地３０と、染匠が所望する色として調合した染料の色味を試す生地４０を示している。生地３０は、例えば絹であって、染匠によって絵皿５０内で調合された染料によって染色される。また、生地４０も、生地３０と同一の生地であり、例えば絹である。また、生地３０に、上述した地入れが行われている場合には、生地４０にも地入れが行われていることが好ましい。また、生地４０は、地入れが行われた生地３０の一部であってもよい。
【００１８】
ここで、色挿しの工程において所望する色の染料を絵皿５０に調合するとき、染匠は絵皿５０内の染料の色を確認するのみでは、所望する色であるか否かを判断することは困難である。すなわち、所望する色だと思った染料でも絵皿５０のまま視認する色味と、色挿しした色味とは異なっており、実際に生地３０に色挿しした場合に所望する色とは異なっている場合がある。
そこで、本実施形態では、調合した染料の色味を試すための生地４０を用意して、更に生地４０を色挿しの対象である生地３０と同一の生地にする。したがって、染匠は調合した染料を生地３０に染色する前に生地４０に色味４１を染色することで、調合した染料が所望する色であるか否かを正確に判断することができる。また、染匠は、染料を調合する度に、色味４１が試されていない領域に染色することで、生地４０には複数の異なる色味４１が一面に施される。
【００１９】
図３に示すように、色味４１が一面に施された生地４０は、色味を試すための生地であるという性質上から多彩な色が施される。特に、手描き友禅という華やかな絵柄を染め付けるときの染色技法であることから、試される色味も華やか色味である場合が多い。また、生地４０は、染匠が手作業で調合した一つ一つの色味を試すことから、同じ色味４１のパターンが表れることなく、唯一無二の生地４０となる。
なお、図３に示す生地４０では、筆によって染料の色味４１が試されていることから、色味４１の一つ一つの形状が筆で描いたときに表れる略楕円状となっている。しかしながら、色味４１を試す筆の形状や刷毛の形状に応じて表れる形状が異なってくる。何れにしても、生地４０には、染匠が手作業で一つ一つの色味４１を試していることから、色味４１の一つ一つの形状が似ることはあっても全く同一の形状となることはない。
【００２０】
ここで、本実施形態のバッグ１００は外観となる生地、具体的に表側生地１１および持ち手部２０の生地には、複数の色味４１を試した生地４０が用いられる。上述したように、生地４０自体は多彩な色が施された唯一無二の生地であることから、この生地４０が用いられたバッグ１００も同様に、多彩な色が施された唯一無二のバッグである。特に、生地４０は着物や帯を仕立てるための生地と同一であることから、着物を着用したときに本実施形態のバッグ１００は所持することで着物との調和を図ることができる。
【００２１】
＜第２の実施形態＞
第１の実施形態のバッグ１００は、外観となる表側生地１１全体が複数の色味４１を試した生地４０である場合について説明した。本実施形態のバッグ２００は、表側生地１１の表面に張り合わせた模様部６０が、複数の色味４１を試した生地４０である場合について説明する。なお、第１の実施形態と同様の構成は適宜、その説明を省略する。
【００２２】
図４は、本実施形態のバッグ２００全体の構成を示す図である。
バッグ２００は、バッグ本体１０と、持ち手部２０と、模様部６０とを有している。本実施形態では、第１の実施形態と異なりバッグ本体１０および持ち手部２０には、色味４１を試した生地４０が用いられていない。
模様部６０は、外観となる生地であって、バッグ本体１０のうち表側生地１１ａの表面に縫い合わされている。ここで、模様部６０には、複数の色味４１を試した生地４０が用いられている。したがって、生地４０が用いられたバッグ２００は、多彩な色が施された唯一無二のバッグである。
【００２３】
以上、本考案を上述した実施形態により説明したが、本考案は上述した実施形態に限定されるものではなく、本考案の範囲内で変更等が可能である。
本実施形態では、バッグ１００、２００が手持ちバッグである場合について説明したが、この場合に限られず、ショルダーバッグ、ハンドバッグ、ポーチなどのバッグにも適用することができる。
第１の実施形態では、外観となる生地として、表側生地１１および持ち手部２０の生地に複数の色味４１を試した生地４０を用いる場合について説明したが、この場合に限られず、表側生地１１および持ち手部２０の少なくても何れか一方に複数の色味４１を試した生地４０を用いてもよい。
【００２４】
本実施形態では、着装具がバッグである場合について説明したが、この場合に限られず、着装具は、着物本体、帯、草履、風呂敷または扇子であってもよい。例えば、草履の場合には、鼻緒の外観となる生地に複数の色味を試した生地を用いることができる。また、座布団などであってもよい。
【符号の説明】
【００２５】
１００、２００：バッグ  １０：バッグ本体  １１：表側生地  １２：裏側生地  １３：底板  ２０：持ち手部  ３０：生地  ４０：生地  ４１：色味  ６０：模様部
【図１】
0003210513.tif 000003
【図２】
0003210513.tif 000004
【図３】
0003210513.tif 000005
【図４】
0003210513.tif 000006